(57)【要約】      （修正有）【課題】近傍に居る相手側に察知されないように、声を出さずに、しかもキー操作やジェスチャー動作も伴わずに、仲間との意思伝達や緊急通報の起動を可能とするウェアラブル端末または緊急通報装置を提供する。【解決手段】ウェアラブル端末は、自端末の筐体をノックして発生させた機械的な振動を検知すると、検知した振動の断続パターンに対応するコード情報を他のウェアラブル端末または緊急通報装置２へ送信し、コード情報を受信したウェアラブル端末は、受信したコード情報に対応する断続パターンで、人体に対して物理的な刺激を断続的に与える。緊急通報装置２は、受信したコード情報または検知した振動の断続パターンに応じて、パトライト（登録商標）３や通報先４への緊急通報を起動する。【選択図】図１
2017041143.tif 000002
【特許請求の範囲】
【請求項１】
自送信端末と繋がる１以上の受信端末へ意思に係る予め定められたコード情報を送信する送信端末であって、
自送信端末の所定の部位をノックして発生させた機械的な振動または自送信端末に伝達された機械的な振動を検知する振動検知手段と、前記コード情報と機械的な振動の断続パターンを対応付けて登録しておく断続パターン登録手段と、前記コード情報を前記受信端末へ送信するコード情報送信手段と、を有し、
前記振動検知手段が機械的な振動を検知し、前記検知した振動の断続パターンが前記断続パターン登録手段に登録されている断続パターンのいずれかと一致した場合に、当該断続パターンに対応するコード情報を前記１以上の受信端末の全てまたは一部へ送信することを特徴とする意思コード送信端末。
【請求項２】
請求項１に記載の送信端末において、自送信端末はウェアラブルな送信端末であって、
前記コード情報送信手段は、近傍に存在する前記受信端末へ所定の近距離無線通信方式により前記コード情報を送信することを特徴とする意思コード送信端末。
【請求項３】
自受信端末と繋がる１以上の送信端末から意思に係る予め定められたコード情報を受信する受信端末であって、
自受信端末を装着している身体の所定の部位に物理的な刺激を断続的に与える刺激手段と、前記物理的な刺激を断続的に与える際の断続パターンを前記コード情報と対応付けて登録しておく断続パターン登録手段と、前記コード情報を所定の近距離無線通信方式により前記送信端末から受信するコード情報受信手段と、を有し、
前記コード情報受信手段がコード情報を受信し、前記受信したコード情報が前記断続パターン登録手段に登録されているコード情報のいずれかと一致した場合に、前記刺激手段は、当該コード情報に対応する断続パターンで、前記部位に物理的な刺激を断続的に与えることを特徴とする意思コード受信端末。
【請求項４】
請求項３に記載の受信端末において、
前記刺激手段は、前記部位に機械的な振動を与えて刺激する、または前記部位に所定値以下の電流を通電して刺激することを特徴とする意思コード受信端末。
【請求項５】
予め定められた１以上の宛先へ緊急通報に係る情報を送信する緊急通報装置であって、
自装置の所定の部位をノックして発生させた機械的な振動または自装置に伝達された機械的な振動を検知する振動検知手段と、緊急通報の起動に係る予め定められた前記機械的な振動の断続パターンを対応付けて登録しておく断続パターン登録手段と、前記緊急通報に係る情報を前記宛先へ送信する緊急通報手段と、を有し、
前記振動検知手段が機械的な振動を検知し、前記検知した振動の断続パターンが前記断続パターン登録手段に登録されている断続パターンと一致した場合に、前記緊急通報手段を起動することを特徴とする緊急通報装置。
【発明の詳細な説明】
【技術分野】
【０００１】
本発明は、近傍に居る相手側に察知されずに、仲間同士の意思伝達に係る特定のコード情報を送受信する意思コード送信端末もしくは意思コード受信端末、または特定のコード情報で起動する緊急通報装置に関する。
【背景技術】
【０００２】
声を出さず、かつキー操作も無しに、仲間同士で意思を伝達したい場合がある。これを解決する手段として、加速度センサ等を内蔵するデバイスを手首に装着し、手首の動き、即ちジェスチャーを検出する技術を適用し、ジェスチャー動作により入力した情報を伝達したい身内へ送信することが考えられる（例えば、特許文献1）。
【０００３】
しかしながら、このジェスチャー動作は、言わば野球等における仲間同士のブロックサインと同じであり、何らかの意思伝達を実行していること自体は、内容を知られたくない相手側に察知されてしまう可能性が高い。例えば、侵入した強盗犯に威嚇されているコンビニエンスストア等の店員が、犯人に気付かれていない他の店員に対して、警察へ通報すること等の指示を、犯人に気付かれないように伝達するためには、ジェスチャー動作は不都合である。また、犯人に威嚇されている店員は身動きが取れず、一般的な緊急通報ボタンを押下することも危険である。
【先行技術文献】
【特許文献】
【０００４】
【特許文献１】特開２０１４−１８２６１２号公報
【発明の概要】
【発明が解決しようとする課題】
【０００５】
そこで、本発明の課題は、近傍に居る相手側に察知されないように、声を出さずに、しかもキー操作やジェスチャー動作も伴わずに、仲間との意思伝達や緊急通報の起動を可能とする端末または緊急通報装置を提供することにある。
【課題を解決するための手段】
【０００６】
上記課題を解決するために、第１の発明は、自送信端末と繋がる１以上の受信端末へ意思に係る予め定められたコード情報を送信する送信端末であって、自送信端末の所定の部位をノックして発生させた機械的な振動または自送信端末に伝達された機械的な振動を検知する振動検知手段と、前記コード情報と機械的な振動の断続パターンを対応付けて登録しておく断続パターン登録手段と、前記コード情報を前記受信端末へ送信するコード情報送信手段と、を有し、前記振動検知手段が機械的な振動を検知し、前記検知した振動の断続パターンが前記断続パターン登録手段に登録されている断続パターンのいずれかと一致した場合に、当該断続パターンに対応するコード情報を前記１以上の受信端末の全てまたは一部へ送信することを特徴とする。
【０００７】
また、第２の発明は、自受信端末と繋がる１以上の送信端末から意思に係る予め定められたコード情報を受信する受信端末であって、自受信端末を装着している身体の所定の部位に物理的な刺激を断続的に与える刺激手段と、前記物理的な刺激を断続的に与える際の断続パターンを前記コード情報と対応付けて登録しておく断続パターン登録手段と、前記コード情報を所定の近距離無線通信方式により前記送信端末から受信するコード情報受信手段と、を有し、前記コード情報受信手段がコード情報を受信し、前記受信したコード情報が前記断続パターン登録手段に登録されているコード情報のいずれかと一致した場合に、前記刺激手段は、当該コード情報に対応する断続パターンで、前記部位に物理的な刺激を断続的に与えることを特徴とする。
【０００８】
さらに、第３の発明は、予め定められた１以上の宛先へ緊急通報に係る情報を送信する緊急通報装置であって、自装置の所定の部位をノックして発生させた機械的な振動または自装置に伝達された機械的な振動を検知する振動検知手段と、緊急通報の起動に係る予め定められた前記機械的な振動の断続パターンを対応付けて登録しておく断続パターン登録手段と、前記緊急通報に係る情報を前記宛先へ送信する緊急通報手段と、を有し、前記振動検知手段が機械的な振動を検知し、前記検知した振動の断続パターンが前記断続パターン登録手段に登録されている断続パターンと一致した場合に、前記緊急通報手段を起動することを特徴とする。
【発明の効果】
【０００９】
本発明によれば、指先の小さな動きによるノックで所定のコード情報を入力するので、相手に気付かれることなく、仲間へ意思を伝達することや緊急通報を起動することが可能な端末または緊急通報装置を提供することが出来る。
【００１０】
これにより、例えば、侵入した強盗犯に威嚇されているコンビニエンスストア等の店員は、犯人に気付かれていないように、休憩中の他の店員等に対して、事件の発生や警察への通報依頼等を伝達することや、緊急通報を起動することが可能である。
【図面の簡単な説明】
【００１１】
【図１】本発明の実施形態に係る全体構成図である。
【図２】本発明のウェアラブル端末１の内部ブロック構成図である。
【図３】本発明の緊急通報装置２の内部ブロック構成図である。
【図４】本発明のウェアラブル端末１の動作フローチャートである。
【図５】本発明の緊急通報装置２の動作フローチャートである。
【発明を実施するための形態】
【００１２】
以下、本発明の実施形態について、図面を用いて説明する。図１は、本発明の実施形態に係る全体構成図であって、１は意思に係るコード情報（以下、意思コードと略すこともある）を送受信する複数のウェアラブル端末、２は通報先４へ緊急事態の発生を通報する緊急通報装置、３は外部の者へ緊急事態の発生を知らせるパトライト（登録商標）、４は緊急通報を受信する通報先であり、通報先４は複数であってもよい。なお、各ウェアラブル端末１および緊急通報装置２は、近距離無線通信方式で接続されている。
【００１３】
ウェアラブル端末（以下、端末と略すこともある）１は、意思コード送信端末または意思コード受信端末として、所定の意思コードを送受信する端末であって、特定小電力無線通信方式やＢｌｕｅｔｏｏｔｈ（登録商標）等の一般的な近距離無線通信方式を用いて、他の端末１、または緊急通報装置２と通信する。なお、本端末１の形状は、リストバンド，ブローチ，カードのような身体や被服に装着できる形状とし、外観上の不自然さが無いことが望ましい。この本端末１へのコード情報の入力は、本端末１の筐体を予め定められたパターン（ノック回数，ノック間隔）でノックして発生させた振動の断続パターンで入力する。また、受信したコード情報の出力は、本端末１を装着した腕等への物理的な刺激（振動または通電）で出力する。
【００１４】
緊急通報装置（以下、装置と略すこともある）２は、パトライト（登録商標）３を駆動すると共に、ネットワークを介して通報先４への緊急通報を実行する装置である。本装置２は、ウェアラブル端末１から緊急通報を起動する特定のコード情報を受信した場合、または本装置２の筐体をノックして発生させた特定の振動パターンを検出した場合、または本装置２が設置されている机等をノックして発生させた特定の振動パターンが本装置２に伝達された場合に、予め設定されている緊急通報動作を起動する。
【００１５】
例えば、端末１−１を装着しているコンビニエンスストア等の店員が侵入した強盗犯に威嚇されている場合、緊急事態の発生を示す特定のパターンで、本端末１−１または本端末１−１を装着している腕をノックすれば、犯人に気付かれないように端末１−２を装着している他の店員等へ、警察等への通報を依頼することが可能である。また、緊急通報装置２の近傍に居る店員が、犯人に気付かれないように、緊急通報装置２の筐体を直接ノックして起動することも可能である。
【００１６】
図２は、ウェアラブル端末１の内部ブロック構成図である。本端末１は、端末制御部１０、断続パターン登録部１１、送受信履歴記憶部１２、無線通信部１３、振動センサ１４、端末操作部１５、表示部１６、バイブレータ１７、皮膚通電部１８から構成される。
【００１７】
端末制御部１０は、自端末１の制御全般を実行する手段である。端末制御部１０は、意思コード送信端末として、自端末１を装着した者が自端末１または自端末１の近傍の腕等をノックして発生させた振動を、振動センサ１４が検出した場合に、振動センサ１４が検出した振動の断続パターンと、断続パターン登録部１１に登録されている断続パターンを比較し、一致した断続パターンに対応するコード情報を、無線通信部１３を介して他の端末１または緊急通報装置２へ送信するように各部を制御する。
【００１８】
また、端末制御部１０は、意思コード受信端末として、無線通信部１３が受信したコード情報と、断続パターン登録部１１に登録されたコード情報を比較し、一致したコード情報に対応する断続パターンで、バイブレータ１７または皮膚通電部１８を駆動して、自端末１を装着した腕等を物理的に刺激し、自端末１を装着した者へ受信したコード情報を通知するように各部を制御する。
【００１９】
断続パターン登録部１１は、振動の断続パターンと、それに対応するコード情報を登録する手段である。断続パターンとコード情報の登録は、例えば、予め用意してあるコード情報の内の空いているコード情報を指定してから、登録したい断続パターンで自端末をノックして登録すればよい。また、例えば、同一グループの各端末で共通とし、無線通信部１３を介して、特定のサイトまたは特定のパソコン等にアクセスし、登録すべき断続パターンとコード情報をダウンロードするようにしてもよい。
【００２０】
断続パターン登録部１１に登録する振動の断続パターンは人間が感知できる物理的な刺激の断続速度であると共に、指や手で無理なくノックできる範囲の断続速度（数回／秒）である。例えば、単発のノックを２進数の「０」に、ダブルクリック的な２連発のノックを２進数の「１」に対応させ、さらに、コード情報の区切り（デリミタ）として、数秒の間を定義すれば、モールス信号的に任意のコード情報を断続パターンで表現できる。ただし、緊急通報的な用途としては、例えば、「緊急事態発生」や「不審者発見」等の限られた数のコード情報に対して、簡単で分かり易い数種類の断続パターン（例えば、ノックの連発や間欠的なノックの連発）を定義しておくだけでも充分である。
【００２１】
送受信履歴記憶部１２は、送受信したコード情報とその送受信日時の履歴を記憶しておく手段である。送信または受信したコード情報を端末制御部１０から入力すると、入力したコード情報を、送受信種別（送信または受信）と現在時刻を対応付けて記憶する。また、検索キー（日時等）を含む検索要求を端末制御部１０から入力した場合、ヒットしたコード情報の履歴を端末制御部１０へ出力する。
【００２２】
無線通信部１３は、他の端末１や緊急通報装置２、さらにパソコンやスマートホン等の一般的な外部機器（図示せず）と無線通信する手段である。無線通信部１３は、端末制御部１０からコード情報と送信指示を入力すると、入力したコード情報で無線信号（搬送波）を変調し、変調した無線信号を他の端末１や緊急通報装置２へ送信する。また、他の端末１または緊急通報装置２からコード情報を含む無線信号を受信すると、受信した無線信号を復調してコード情報を抽出し、抽出したコード情報を端末制御部１０へ出力する。
【００２３】
振動センサ１４は、本端末１の筐体をノックして発生された振動または本端末１に伝達された振動（本端末１を装着した腕から伝わる振動等）を検知する手段であり、例えば、加速度検出デバイスを内蔵している。振動センサ１４は、一定レベル以上の振動を検知すると、その振動の断続情報を端末制御部１０へ出力する。
【００２４】
端末操作部１５は、本端末１を操作する手段である（例えば、タッチパネル）。端末操作部１５に為された操作内容は、端末制御部１０へ出力される。
【００２５】
表示部１６は、端末制御部１０から出力された情報を表示する手段である（例えば、ＬＣＤやＬＥＤ）。本端末１が腕時計を兼ねた端末であれば、通常時は日時情報が表示部１６に表示されている。
【００２６】
バイブレータ１７は、端末制御部１０から出力された断続パターンを機械的な振動に変換する手段である。本端末１を装着した者は、このバイブレータ１７が発生した機械的な振動の断続により、他の端末１または緊急通報装置２から受信したコード情報を知る。
【００２７】
皮膚通電部１８は、端末制御部１０から出力された断続パターンで本端末１を装着した者の皮膚への通電を断続制御する手段であり、皮膚との接触部に皮膚へ電流を流す電極を含む（図示せず）。本端末１を装着した者は、この皮膚への通電の断続により、他の端末１または緊急通報装置２から受信したコード情報を知る。なお、コード情報の出力に際し、端末制御部１０は、端末制御部１０内に設定された内容に応じて（図示せず）、バイブレータ１７と皮膚通電部１８のいずれか一方、または両方を駆動する。
【００２８】
図３は、緊急通報装置２の内部ブロック構成図である。緊急通報装置２は、端末制御部２０、断続パターン／起動機能登録部２１、送受信履歴記憶部２２、通信部２３、振動センサ２４、操作部２５、表示部２６から構成される。
【００２９】
端末制御部２０は、本装置２の制御全般を実行する手段である。本装置２を操作している者が、意思コードを入力して送信するために、本装置２の筐体をノックして振動の断続パターンを発生させた場合に、端末制御部２０は、振動センサ２４が検出した振動の断続パターンと、断続パターン／起動機能登録部２１に登録された断続パターンを比較し、一致した断続パターンに対応して、通信部２３を介して通報先４または近傍に存在する者が携帯しているウェアラブル端末１へ緊急事態の発生に係る緊急通報情報またはコード情報を送信したり、パトライト（登録商標）３を起動する。
【００３０】
また、端末制御部２０は、コード情報を受信した場合に、通信部２３が受信したコード情報と、断続パターン／起動機能登録部２１に登録されたコード情報を比較し、一致したコード情報に対応する機能（例えば、受信した緊急通報情報の表示、受信した緊急通報情報の通報先４への送信、パトライト（登録商標）３点滅）を起動する。
【００３１】
断続パターン／起動機能登録部２１は、振動の断続パターンと、それに対応するコード情報、起動機能を登録する手段であり、ウェアラブル端末１の断続パターン登録部１１と同様なので、詳細な説明は繰り返さない。ただし、本装置２は、パトライト（登録商標）３を起動する機能と通報先４への緊急通報機能を備えており、それらを直接起動する振動の断続パターンを登録することができる。
【００３２】
送受信履歴記憶部２２は、送受信したコード情報とその送受信日時の履歴を記憶しておく手段であり、ウェアラブル端末１の送受信履歴記憶部１２と同様なので、詳細な説明は繰り返さない。
【００３３】
通信部２３は、ウェアラブル端末１と無線通信すると共に、通報先４、さらにパソコンやスマートホン等の一般的な外部機器（図示せず）と無線通信または有線通信する手段である。通信部２３は、端末制御部２０からコード情報または緊急通報情報を入力すると、入力したコード情報または緊急通報情報を含む信号を、ウェアラブル端末１や通報先４へ送信する。また、通信部２３は、ウェアラブル端末１からコード情報を含む無線信号を受信すると、受信した無線信号を復調してコード情報を抽出し、抽出したコード情報を端末制御部２０へ出力する。
【００３４】
振動センサ２４は、自装置２の筐体をノックして発生された振動または自装置２に伝達された振動を検知する手段であり、ウェアラブル端末１の振動センサ１と同様なので、詳細な説明は繰り返さない。
【００３５】
操作部２５は、緊急通報装置２を操作する手段である（例えば、タッチパネル）。操作部２５から入力した操作内容は、端末制御部２０へ出力される。
【００３６】
表示部２６は、端末制御部２０から出力された情報を表示する手段である（例えば、ＬＣＤやＬＥＤ）。なお、本装置２は、一般的なレジ端末を兼ねることも可能であり、その場合、操作部２５および表示部２６はレジ端末としての操作機能および表示機能を兼ねる。
【００３７】
図４は、ウェアラブル端末１の動作フローチャートである。本フローは、電源が投入された状態でスタートし(Ｓ４００)、待機状態において、Ｓ４１０，Ｓ４３０，Ｓ４５０，Ｓ４７０の各イベントの有無を監視する。
【００３８】
Ｓ４１０において、振動センサ１４が所定値以上の振動を検知すると(Ｓ４１０，ＹＥＳ)、端末制御部１０は、一定時間（例えば、３秒）以上の振動停止を検知するまで振動の断続パターンを計測する(Ｓ４１１)。そして、端末制御部１０は、計測した振動の断続パターンが、断続パターン登録部１１に登録された断続パターンと一致するか否かを判定し(Ｓ４１２)、一致する場合(Ｓ４１２，ＹＥＳ)、断続パターン登録部１１に登録された当該断続パターンに対応するコード情報を表示部１６に表示し(Ｓ４１３)、Ｓ４２０へ進む。なおＳ４１２でＮＯであれば、Ｓ４３０へ進む。
【００３９】
Ｓ４２０，Ｓ４２１において、Ｓ４１３で表示したコード情報に対するキャンセルまたは送信ＯＫの操作を一定時間（例えば、５秒）監視し、端末操作部１５へのキャンセルの操作が為された場合(Ｓ４２０，ＹＥＳ)、Ｓ４２１とＳ４２２をスキップしてＳ４２３へ進む。キャンセルの操作が為されず(Ｓ４２０，ＮＯ)、送信ＯＫの操作が為された場合またはタイムアウトした場合(Ｓ４２１，ＹＥＳ)、端末制御部１０は、無線通信部１３を制御して、当該コード情報を他のウェアラブル端末１または緊急通報装置２へ無線送信すると共に、送信したコード情報を送受信履歴記憶部１２に記憶し（Ｓ４２２）、表示中のコード情報を消去し(Ｓ４２３)、Ｓ４１０へ戻る。なお、当該コード情報を他のウェアラブル端末１および緊急通報装置２の全てへ送信するか、それらの一部へのみ送信するかの設定は任意に設定可能であり、振動の断続パターンで定義してもよい。
【００４０】
Ｓ４３０において、無線通信部１３を介して他のウェアラブル端末１または緊急通報装置２からコード情報を受信すると(Ｓ４３０，ＹＥＳ)、端末制御部１０は、受信したコード情報が断続パターン登録部１１に登録された登録コードのいずれかと一致するか否かを判定し(Ｓ４３１)、一致する場合(Ｓ４３１，ＹＥＳ)、受信したコード情報を表示部１６に表示し(Ｓ４３２)、一致しない場合(Ｓ４３１，ＮＯ)、Ｓ４５０へ進む。
【００４１】
Ｓ４３２でコード情報を表示した後、端末制御部１０は、受信したコード情報に対応する断続パターンで、バイブレータ１７または皮膚通電部１８を断続制御する(Ｓ４３３)。そして、端末操作部１５へのリピート操作が為された場合(Ｓ４３４，ＹＥＳ)、Ｓ４３２へ戻る。このリピート操作は、本端末１を装着している者がコード情報に対応したバイブレータ振動または皮膚通電の断続パターンを認識できなかった場合等のための操作である。一定時間（例えば、１分）内にリピート操作が為されなかった場合(Ｓ４３４，ＮＯ)、端末制御部１０は、受信したコード情報を送受信履歴記憶部１２に記憶し(Ｓ４３５)、表示中のコード情報を消去し（Ｓ４３６）、Ｓ４１０へ戻る。
【００４２】
Ｓ４５０において、端末操作部１５への断続パターン登録／削除操作が為された場合(Ｓ４５０，ＹＥＳ)、端末制御部１０は、振動センサ１４が検知した振動の断続パターンを入力し(Ｓ４５１)、入力された振動の断続パターンでバイブレータ１７または皮膚通電部１８を断続制御する(Ｓ４５２)。そして、その断続パターンを確認した者が登録の操作が為した場合(Ｓ４５３，ＹＥＳ)、端末制御部１０は、振動センサ１４が検出した振動の断続パターンを未使用のコード情報のいずれかと対応付けて断続パターン登録部１１に登録し(Ｓ４５４)、Ｓ４１０へ戻る。一定時間（例えば、１分）が経過しても、登録の操作が為されなかった場合(Ｓ４５５,ＮＯ)、Ｓ４５５へ進む。
【００４３】
Ｓ４５５において、削除の操作が為された場合(Ｓ４５５，ＹＥＳ)、端末制御部１０は、断続パターン登録部１１に登録された断続パターンの中から、振動センサ１４が検出した振動の断続パターンと一致する断続パターンを削除し、当該コード情報を未使用にし(Ｓ４５６)、Ｓ４１０へ戻る。一定時間（例えば、１分）が経過しても、端末操作部１５への削除の操作が行われなかった場合(Ｓ４５５，ＮＯ)は、断続パターン登録／削除を行わず、Ｓ４１０へ戻る。なお、図示しないが、断続パターンの登録や削除を実行する際に、ＩＤやパスワードを入力させて、許可された者だけに断続パターンの登録や削除を実行させるようにしてもよい。
【００４４】
Ｓ４７０において、端末操作部１５への履歴操作が為された場合(Ｓ４７０，ＹＥＳ)、送受信履歴記憶部１２に記憶されている送受信したコード情報の履歴を表示部１６に表示する(Ｓ４７１)。そして、表示中の履歴情報の一部または全てを削除する操作が為された場合(Ｓ４７２，ＹＥＳ)、端末制御部１０は、送受信履歴記憶部１２に記憶されている履歴情報の、指定された履歴情報または全履歴情報を削除し(Ｓ４７３)、Ｓ４１０に戻る。一定時間（例えば、１分）が経過しても、履歴情報を削除する操作が為されなかった場合(Ｓ４７２，ＮＯ)、Ｓ４７３をスキップしてＳ４１０へ戻る。
【００４５】
図５は、本発明の緊急通報装置２の動作フローチャートである。本フローは、電源が投入された状態でスタートし(Ｓ５００)、待機状態において、Ｓ５１０，Ｓ５２０の各イベントの有無を監視する。
【００４６】
Ｓ５１０において、振動センサ２４が所定値以上の振動を検知すると(Ｓ５１０，ＹＥＳ)、端末制御部２０は、一定時間（例えば、３秒）以上持続する振動停止状態を検知するまで振動の断続パターンを計測する(Ｓ５１１)。そして、端末制御部２０は、計測した振動の断続パターンが、断続パターン／起動機能登録部２１に登録された断続パターンと一致するか否かを判定し(Ｓ５１２)、一致する場合(Ｓ５１２，ＹＥＳ)はＳ５１３へ進み、一致しない場合(Ｓ５１２，ＮＯ)はＳ５２０へ進む。
【００４７】
Ｓ５１３において、計測した振動の断続パターンが緊急通報であると判定した場合(Ｓ５１３，ＹＥＳ)、通報先として設定されている、ウェアラブル端末１または通報先４へ緊急通報すると共に、パトライト（登録商標）３を起動し(Ｓ５１９)、Ｓ５１０へ戻る。なお、通報先４への緊急通報とパトライト（登録商標）３の起動は、いずれか一方でも両方でもよく、端末制御部２０内に設定された内容または断続パターン／起動機能登録部２１に登録された内容に従う。
【００４８】
計測した振動の断続パターンが緊急通報ではない場合(Ｓ５１３，ＮＯ)、端末制御部２０は、断続パターン／起動機能登録部２１に登録されている当該断続パターンに対応するコード情報を表示部２６に表示し(Ｓ５１４)、Ｓ５１５へ進む。
【００４９】
Ｓ５１５およびＳ５１６において、操作部２５へのキャンセル操作または送信ＯＫ操作の有無もしくはタイムアウト（例えば、１分）を監視し、キャンセル操作が為された場合(Ｓ５１５，ＹＥＳ)、表示中のコード情報を消去し(Ｓ５１８)、Ｓ５１０へ戻る。送信ＯＫの操作が為された場合またはタイムアウトした場合(Ｓ５１６，ＹＥＳ)、端末制御部２０は、通信部２３を制御して当該コード情報をウェアラブル端末１へ無線送信すると共に、送信したコード情報を送受信履歴記憶部２２に記憶し（Ｓ５１７）、表示中のコード情報を消去し(Ｓ５１８)、Ｓ５１０へ戻る。
【００５０】
Ｓ５２０において、コード情報を受信すると(Ｓ５２０，ＹＥＳ)、端末制御部２０は、受信したコード情報が断続パターン／起動機能登録部２１に登録された登録コードと一致するか否かを判定し(Ｓ５２１)、一致する場合(Ｓ５２１，ＹＥＳ)、Ｓ５２２へ進み、一致しない場合(Ｓ５２１，ＮＯ)、Ｓ５１０へ戻る。
【００５１】
Ｓ５２２において、受信した振動の断続パターンが緊急通報であると判定した場合(Ｓ５２２，ＹＥＳ)、端末制御部２０は、通報先として設定されている、ウェアラブル端末１または通報先４へ緊急通報すると共に、パトライト（登録商標）３を起動し(Ｓ５１９)、Ｓ５１０へ戻る。受信したコード情報は緊急通報ではないと判定した場合(Ｓ５２２，ＮＯ)、表示部２６に受信したコード情報を表示し(Ｓ５２３)、受信したコード情報を送受信履歴記憶部２２に記憶し(Ｓ５２４)、Ｓ５１０へ戻る。
【００５２】
以上、本発明の実施形態について説明した。本発明によれば、指先の小さな動きによるノックで所定のコード情報を入力するので、相手に気付かれることなく、仲間へ意思を伝達することや緊急通報を起動することが可能なウェアラブル端末または緊急通報装置を提供することが出来る。
【００５３】
これにより、例えば、侵入した強盗犯に威嚇されているコンビニエンスストア等の店員は、犯人に気付かれていない休憩中の他の店員等へ、事件の発生や警察への通報依頼等を伝達することが可能となる。また、犯人に威嚇されて身動きが取れない状態であっても、所定の場所をノックするだけで緊急通報を起動することも可能である。
【００５４】
さらに、一般的な会議においても、相手側に気付かれないように、当該会議に出席している身内内で意思を伝達するツールとしても有用である。なお、ウェアラブル端末１を一般的な腕時計と兼用なウェアラブルな端末としておけば、視覚的な不自然性は無い。
【００５５】
ところで、本実施形態において、ウェアラブル端末１は、コード情報を送受信する端末として説明したが、本発明はこれに限定されない。即ち、本発明によるウェアラブル端末は、コード情報を送信するだけの送信専用端末であってもよく、コード情報を受信するだけの受信専用端末であってもよい。例えば、命令を出す側（例えば、上長）が送信専用端末を携帯し、命令される側（例えば、一般社員）は受信専用端末を携帯すれば、命令系統が明確であると共に、トータルコストを節減できる。
【００５６】
また、ウェアラブル端末１の断続パターン登録部１１および緊急通報装置２の断続パターン／起動機能登録部２１に登録するコード情報のフォーマットも任意であり、例えば、「グループ識別ＩＤコード（Ｌｂｉｔ）＋断続パターン識別コード（Ｍｂｉｔ）＋チェックコード（Ｎｂｉｔ）」のようなフォーマットを定義すれば、グループ別の命令体系を自由に構築できる。
【００５７】
さらに、ウェアラブル端末１および緊急通報装置２が検知する振動は、筐体を直接ノックした振動でなくてもよい。例えば、本端末１を装着した手で机をノックして発生させた振動、または緊急通報装置２を載せている机をノックして発生させた振動でもよい。要は振動センサ１３，２４に振動が伝達されればよい。これにより、相手に悟られずに、さりげなく振動を発生させてコード情報を入力して送信することができる。
【００５８】
なお、発生させる振動パターンと無線送信するコード情報の「１」と「０」の配置パターンを同じにしてもよい。この場合、入力された振動パターンをそのまま「１」と「０」の配置パターンに変換できるので、コード変換が不要であり、ウェアラブル端末１の断続パターン登録部１１を省略することも可能である。
【符号の説明】
【００５９】
１・・・ウェアラブル端末
２・・・緊急通報装置
３・・・パトライト（登録商標）
４・・・通報先
１０・・・端末制御部
１１・・・断続パターン登録部
１２・・・送受信履歴記憶部
１３・・・無線通信部
１４・・・振動センサ
１５・・・端末操作部
１６・・・表示部
１７・・・バイブレータ
１８・・・皮膚通電部
２０・・・端末制御部
２１・・・断続パターン／起動機能登録部
２２・・・送受信履歴記憶部
２３・・・通信部
２４・・・振動センサ
２５・・・操作部
２６・・・表示部
【図１】
2017041143.tif 000003
【図２】
2017041143.tif 000004
【図３】
2017041143.tif 000005
【図４】
2017041143.tif 000006
【図５】
2017041143.tif 000007